(57)【要約】【課題】シュラウドを新規な形状にすることにより低騒音、高性能な薄型の遠心ファンを提供すること、及びこれを用いた空気調和機を提供すること。【解決手段】本発明に係る遠心ファン５は、中央部にファン吸込口５６を有するシュラウド５５と、中央部に膨出部５４ａが形成されたハブ５４と、シュラウド５５とハブ５４との間に形成されたブレード５３とを備えたファンである。そして、ハブ５４は、ブレード５３が設けられる、径方向の外周側領域が平面状に形成されている。さらに、シュラウド５５は、ファン吸込口５６側端縁から外周側端縁に向かうにつれ、ハブ５４とシュラウド５５との間隔が最初は次第に小さくなり、所定の最小値Ｈｍになってから再び次第に大きくなるような形状に形成されている。【選択図】図１
2009013926.tif 000002
【特許請求の範囲】
【請求項１】
中央部にファン吸込口を有するシュラウドと、中央部に膨出部が形成されたハブと、シュラウドとハブとの間に形成されたブレードとを有するロータを備えたファンであって、
前記ハブは、ブレードが設けられる、径方向の外周側領域が平面状に形成され、
さらに、前記シュラウドは、ファン吸込口側端縁から外周側端縁に向かうにつれ、ハブとシュラウドとの間隔が最初は次第に小さくなり、所定の最小値になってから再び次第に大きくなるような形状に形成されている
ことを特徴とする遠心ファン。
【請求項２】
前記ハブとシュラウドとの間隔は、シュラウドの外周側端縁よりファン吸込口側端縁に近い方で最小となるように形成されていることを特徴とする請求項１記載の遠心ファン。
【請求項３】
請求項１又は２記載の遠心ファンであって、空気をファン吸込口に案内するベルマウスを備え、ベルマウスを含むファン軸方向の寸法とロータ外径寸法との比が０．３以下であることを特徴とする遠心ファン。
【請求項４】
請求項１〜３の何れか１項に記載の遠心ファンを利用することを特徴とする空気調和機。
【請求項５】
請求項４記載の空気調和機であって、空気調整用機器が前記遠心ファンのロータの径方向外側に配置されていることを特徴とする空気調和機。
【発明の詳細な説明】
【技術分野】
【０００１】
本発明は、遠心ファンに関し、特に、シュラウドを新規な形状にした遠心ファン及びこれを用いた空気調和機に関する。ここで空気調和機とは、室内空気の温度、湿度及び清浄度の少なくとも何れか一つを調整するための空気調整用機器を備えた装置、すなわち広い意味での空気調和機を意味する。また、清浄度とは、空気中に含まれる塵埃、浮遊汚染粒子、ガス状汚染物質、臭気成分などの含有度合いを意味する。
【背景技術】
【０００２】
近年、空気調和機の形状に関しては一般的に奥行き寸法を小さくした薄型志向が強くなっている。このような要望に応えて空気調和機の薄型化が追求されている結果、機器収納スペースの奥行き方向の寸法が制約されることが多くなってきている。また、空気調和機全体を薄型にするために、回転軸が前後方向となるように遠心ファンを配置するとともに、遠心ファンのロータの径方向外側に空気調整用機器を設ける機器配置構造が採用されるようになってきている。また、このような機器配置構造を採用した上で、なおさらに空気調和機の薄型化が追及された結果、最近では空気調整用機器や遠心ファンの前後方向の寸法自体を小型化することが必要になってきている。
【０００３】
ところで、このような空気調和機の薄型化の傾向の中で、従来の遠心ファンは、例えば、特許文献１に記載のような構造に形成されている。この遠心ファンの構造を図８に示し、さらにこの遠心ファンの構造を具体的に説明する。従来の遠心ファンは、図８に示すように、平板状のベルマウス１０１のベルマウス吸込口１０１ａとファン吸込口１０２とが通常通りに同心に配置されている。そして、従来の遠心ファンにおいて、ロータ１０３を構成するシュラウド１０４は、ファン吸込口１０２から径方向の外周側端縁に向かうにつれ、シュラウド１０４とハブ１０５との高さが除々に小さくなるように形成されていた。これは径方向の外周側端縁に向かうにつれ、気流通過面積が増大することにより、風速が遅くなって気流がシュラウド１０４から剥離することを防止する観点からこのように形成されていた。なお、剥離現象が生ずると、これにより騒音が増大する。したがって、従来の遠心ファンにおいて、シュラウド１０４は、騒音抑制のためにこのような形状に形成されていた。
【特許文献１】特開平１０−１５３１９２号公報
【発明の開示】
【発明が解決しようとする課題】
【０００４】
ところが、本発明者らは、遠心ファンの薄型化を研究していくうちに、遠心ファンの軸方向の寸法を小さくした場合には、シュラウド１０４の形状を従来どおりにすることが必ずしも最善とは言い難いことを突き止めた。
【０００５】
本発明は、このような発明者らの研究の結果に基づきなされたものであって、シュラウドを新規な形状にすることにより低騒音、高性能な薄型の遠心ファンを提供することを目的とする。また、このような遠心ファンを用いた低騒音の空気調和機を提供することを目的とする。
【課題を解決するための手段】
【０００６】
上記課題を解決する本発明に係る遠心ファンは、中央部にファン吸込口を有するシュラウドと、中央部に膨出部が形成されたハブと、シュラウドとハブとの間に形成されたブレードとを有するロータを備えたファンであって、前記ハブは、ブレードが設けられる、径方向の外周側領域が平面状に形成され、さらに、前記シュラウドは、ファン吸込口側端縁から外周側端縁に向かうにつれ、ハブとシュラウドとの間隔が最初は次第に小さくなり、所定の最小値になってから再び次第に大きくなるような形状に形成されていることを特徴とする。このように構成すると、実験的結果から、高静圧になることが分かった。また、風量を比較的大きい状態で使用した場合に低騒音、高効率のファンを得られることが分かった。
【０００７】
また、このようなシュラウド形状にする場合において、ハブとシュラウドとの間隔は、外周側端縁よりファン吸込口側端縁に近い方で最小となるように形成されていることが分かった。
【０００８】
また、このようなシュラウド形状にする遠心ファンにおいて、空気をファン吸込口に案内するベルマウスを備え、ベルマウスを含むファン軸方向の寸法とロータ外径寸法との比が略０．３以下であるように構成することが好ましい。このように構成すると、遠心ファンの軸方向の寸法を小さくした場合に、高静圧、低騒音、高効率なファンにすることができる。
【０００９】
一方、本発明に係る空気調和機は、このように形成された遠心ファンを用いたものである。したがって、静粛な薄型の空気調和機を得ることができる。
また、このような遠心ファンを用いる場合において、空気調整用機器が遠心ファンのロータの径方向外側に配置されていることが好ましい。空気調整用機器を遠心ファンの径方向外側に配置する機器構成においては、ファンの奥行き寸法により空気調和機の奥行き寸法が規制されることが多い。ところが、前述の遠心ファンを用いることにより、ファン騒音を大きくしないで、かつ、ファン性能を下げないで遠心ファンを薄くすることができる。したがって、遠心ファンとして前述のシュラウド形状を備えたものを用いるとともに、空気調整用機器を遠心ファンのロータの径方向外側に配置することにより、空気調和機を従来以上に薄くすることができる。
【発明の効果】
【００１０】
本発明に係る遠心ファンによれば、風量を比較的大きい状態で使用した場合に低騒音、高静圧、高効率のファンが得られる。また、本発明に係る空気調和機によれば、静穏化された薄型の空気調和機を得ることができる。
【発明を実施するための最良の形態】
【００１１】
（実施の形態１）
以下、本発明の実施の形態１に係る遠心ファン及びこれを用いた空気調和機について、図１〜図４に基づき説明する。
【００１２】
図１は本発明の実施の形態に係る空気調和機の側断面図であり、図２は同空気調和機の分解斜視図であり、図３は同空気調和機の外観斜視図であり、図４は同空気調和機に用いられる遠心ファンの説明図であり、同図（ａ）は本発明の断面図であり、同図（ｂ）は比較例であって、従来の考え方に基づきシュラウドの形状を定めたファンの断面図である。なお、図１及び図３における破線矢印は気流の流れ方向を示す。
【００１３】
本実施の形態に係る空気調和機は、空気調整用機器を備えた空気調和機の一例を示すものであって、空気調整用機器を空気清浄フィルタとした床置型空気清浄機である。この空気清浄機の筐体は、図１〜図３に示すように、前面が開放された略箱型の本体筐体１と、本体筐体１の前面に取り付けられている仕切板２と、さらにこの仕切板２の前面に取り付けられているフロントパネル３などから構成されている。
【００１４】
そして、本体筐体１の内部における正面から見た中央部には遠心ファン５が取り付けられ、さらに、この遠心ファン５の左右の径方向外側、すなわち吹出側には空気調整用機器４としての空気清浄フィルタが取り付けられている。また、仕切板２の中央部にはベルマウス６が取り付けられるとともに、仕切板２とフロントパネル３との間に吸入チャンバ７が形成されている。さらに、吸入チャンバ７の上下に室内吸込口８ａ，８ｂが形成されるとともに、吸入チャンバ７内のベルマウス６の前方にはプレフィルタ９が取り付けられている。
【００１５】
本体筐体１は、上方大半部が薄型に形成された略箱型の薄型部１１に形成され、この薄型部１１の下方部にはフロントパネル３の前面と略面一となる程度に前面を突出させた電装品収納部１２が形成されている。この電装品収納部１２は、この空気調和機のベース部材を兼ねている。また、電装品収納部１２において、前方への突出部の前面上部から上面にかけての角部は、後述するフロントパネル３の下端部と仕切板２の下端部との間に形成される室内吸込口８ｂに連なるように、側断面が曲面状の凹部１３に形成されている（図２参照）。本体筐体１における薄型部１１の左右両側部の上下角部には段状部１４が形成され、この上下の段状部１４間に後述する空気調整用機器４としての空気清浄フィルタが収納されている（図２参照）。本体筐体１の薄型部１１の前面には内向きフランジ１６が形成され、この内向きフランジ１６には仕切板２を取り付けるための複数のねじ孔１７が形成されている（図２参照）。また、本体筐体１の空気調整用機器４の空気流出側に位置する両側面には、清浄化された空気を室内へ吹き出すための室内吹出口１８がそれぞれ形成されている。
【００１６】
仕切板２は、平板状であって、その周辺部には本体筐体１の前面の内向きフランジ１６にねじ止めするためのねじ貫通用の複数の貫通孔２１が設けられている。そして、仕切板２は、貫通孔２１を介してねじ（図示せず）により本体筐体１の前面の内向きフランジ１６に着脱自在にねじ止めされている（図２参照）。したがって、仕切板２は、フロントパネル３を取り外したときの空気調整用機器４の収納スペースの前面側の開閉壁を兼用する。また、仕切板２の中央部には、四角孔２３が形成され、その周辺が１段背面側に下げられた段部２４に形成されている（図１参照）。そして、この段部２４に後述するベルマウス６が取り付けられている。
【００１７】
フロントパネル３は、フラットな正面板３１を備え、この正面板３１の左右両側を後方に折り曲げて折曲片３２を形成し、この折曲片３２の寸法を適切に設定することにより、フロントパネル３と仕切板２との間全体に狭い間隔の吸入チャンバ７を形成するように構成されている。また、フロントパネル３は、本体筐体１又は仕切板２に対し、図示しない適宜の手段により着脱自在に取り付けられている。
【００１８】
空気調整用機器４としての空気清浄フィルタは、本体筐体１の左右側方に取り付けられている。この空気清浄フィルタは、本発明における空気調整用機器の一例であって、流通する空気中の浮遊汚染粒子、ガス状汚染物質などの汚染物を除去して空気を清浄化する機能を備えたフィルタ部材又は機器である。また、この空気清浄フィルタは、図面にはその詳細を記載していないが、従来公知のようなものでよい。例えば、後述する遠心ファン５の吹出側に、バイオ抗体の力で空気中に浮遊するウイルスを素早く吸着するバイオ抗体フィルタを設け、その下流側にプラズマイオン化部で埃や花粉をプラスに帯電させ、マイナスに帯電したフィルタでこれら埃や花粉を吸着する静電集塵フィルタを配置する。そして、この静電集塵フィルタの下流側に、臭気成分を分解するとともに、カビ菌やウイルスを吸着する光触媒アパタイトフィルタなどの脱臭フィルタを配置したものとする。このような構成の空気清浄フィルタは、その外周形状が収納スペースの形状に合致するような直方体状に形成されたものであって、左右のものが略同一形状に形成されている。また、この空気清浄フィルタは、後述するフロントパネル３及び仕切板２を外した状態において、本体筐体１の前面側から着脱自在に取り付けられている。
【００１９】
遠心ファン５は、この実施の形態においてはターボファンが用いられている。この遠心ファン５は、ロータ５１とファンモータ５２とベルマウス６とから構成されている。ロータ５１は、ブレード５３、ハブ５４、シュラウド５５から構成されている。そして、遠心ファン５は、シュラウド５５により形成されるファン吸込口５６をベルマウス６の背面側に位置させるととともに、ベルマウス吸込口６１と同心となるように回転軸５７を前後方向にして、本体筐体１内に配置されている。ファンモータ５２は、本体筐体１の背板に取り付けられている。また、ハブ５４は、前方に膨出する膨出部５４ａが形成されている。そして、この膨出部５４ａ内に本体筐体１の背板に固定されるファンモータ５２が収納されている。なお、前述の空気調整用機器４としての空気清浄フィルタの取付位置は、この遠心ファン５のロータ５１の径方向外側、すなわち、左右の吹出側となっている（図２参照）。また、遠心ファン５は、図２における実線矢印Ｒの方向に回転するように構成されている。
【００２０】
ベルマウス６は、正面視略正四角形の板状部材の中心部に、背面側へ立ち上げられたベルマウス吸込口６１を備えたものであって、仕切板２の段部２４に周辺部が固定されるように取り付けられている。その固定手段としては、接着、ねじ止めなどの適宜の手段が用いられている。また、このようにして取り付けられることにより、ベルマウス吸込口６１は、遠心ファン５のファン吸込口５６に対応する同心位置に取り付けられている。
【００２１】
また、遠心ファン５において、ハブ５４は、図４（ａ）に示すように、ハブ５４の中央部の膨出部５４ａを除く膨出部５４ａの周囲、すなわちブレード５３が設けられる、径方向の外周側領域が平面状に形成されている。また、シュラウド５５は、ファン吸込口５６側端縁から外周側端縁に向かうにつれ、ハブ５４とシュラウド５５との間隔が最初は次第に小さくなり、所定の最小値Ｈｍになってから再び次第に大きくなるような形状に形成されている。なお、ベルマウス吸込口６１の端縁とハブ５４との間隔をＨ１とし、シュラウド５５外周側端縁におけるハブ５４とシュラウド５５との間隔をＨ２とすると、ＨＩはＨ２とは略等しく形成されている。また、最小値Ｈｍとなる位置は、シュラウド５５の外周側端縁よりもシュラウド５５のファン吸込口５６側縁に近い位置となるように設定されている。また、ベルマウス６を含む遠心ファン５の軸方向の寸法Ｈｔとロータ５１の外径寸法Ｄとの比Ｈｔ／Ｄが略０．３以下に形成されている。
【００２２】
吸入チャンバ７は、前述のようにフロントパネル３と仕切板２との間に形成されている。すなわち、本体筐体１の前面は、仕切板２とベルマウス６とで閉塞されている。また、遠心ファン５のファン吸込口５６がフロントパネル３と仕切板２との間に向けられている。さらに、フロントパネル３と仕切板２との間に連通するように室内吸込口８ａ，８ｂが設けられている。これにより、仕切板２の内側に遠心ファン５の吹出側が形成され、フロントパネル３と仕切板２との間が遠心ファン５の吸込側となる。このようにして、フロントパネル３と仕切板２との間が吸入チャンバ７として形成されている。
【００２３】
室内吸込口８ａ，８ｂは、上記のように構成される吸入チャンバ７に連通するように形成されたものであって、フロントパネル３の上端部と仕切板２の上端部との間、及びフロントパネル３の下端部と仕切板２の下端部との間にそれぞれスリット状に形成されている。また、このように構成された室内吸込口８ａ，８ｂは、前述の室内吹出口１８とは取付方向が９０度相違する方向となっている。
【００２４】
プレフィルタ９は、吸入チャンバ７内において、ベルマウス６を前面から覆うように取り付けられたものであって、前面側に向けて突形状を成している。より具体的には、プレフィルタ９は、高さ方向の略中央において折り曲げられ、側面視略Ｖ字状を形成している。このプレフィルタ９は、高さ方向寸法が、ベルマウス６が中に入る程度の大きさに形成され、また、横方向寸法が吸入チャンバ７内における吸込流路の横方向寸法と略同一に形成されている。このプレフィルタ９は、カテキン含有のろ過式フィルタであって、空気を濾過させることにより、大きな埃やペットの毛などを捕集するとともに、埃などに付着している細菌やカビ成分を除菌する機能を備えている。
【００２５】
次に、本実施の形態に係る遠心ファンを用いた空気調和機の運転について説明する。
図示しない運転スイッチが投入されることにより、ファンモータ５２が運転されて遠心ファン５が運転されるとともに、電源を必要とする静電集塵フィルタなどを備えた空気清浄フィルタが作動する。これにより、フロントパネル３の上端部と仕切板２の上端部との間にスリット状に形成された室内吸込口８ａを介して室内空気が吸い込まれる。また、室内空気は、本体筐体１の電装品収納部１２の前面に形成された凹部１３から、フロントパネル３の下端部と仕切板２の下端部との間にスリット状に形成された室内吸込口８ｂを介しても吸い込まれる。このように両室内吸込口８ａ，８ｂから吸入された室内空気は、フロントパネル３と仕切板２との間に形成された吸入チャンバ７に入る。
【００２６】
両室内吸込口８ａ，８ｂから吸入チャンバ７に流入した空気は、例えば図２に示すように、側面視Ｖ字状に折り曲げられたプレフィルタ９で大きな埃やペットの毛などが捕集され、カテキン成分により埃などに付着した細菌やカビ菌が除去される。また、プレフィルタ９は、高さ方向の略中央において折り曲げ、側面視略Ｖ字状に折り曲げられた形状に形成されているので、有効な気流通過面積が大きくなる。したがって、プレフィルタ９の気流通過風速が小さくなり、プレフィルタ９における通風抵抗が低減される。また、このプレフィルタ９は、左右方向寸法が吸入チャンバ７の気流流路と略同一に形成されているので、上下の室内吸込口８ａ，８ｂから吸入された室内空気が略全てプレフィルタ９を通過する。さらに、プレフィルタ９は、遠心ファン５の吸込み気流を整流する効果を有するので、遠心ファンの吸込み抵抗の低減及びこれに伴う遠心ファンの騒音低下に寄与することができる。
【００２７】
そして、ファン吸込口５６から吸入された空気は、遠心ファン５で昇圧されて、ロータ５１の径方向外側、すなわち、吹出側に吹き出される。本実施の形態において、遠心ファン５は、前述のように図４（ａ）に示されたような形状であって、遠心ファン５の軸方向の寸法Ｈｔとロータ５１の外径寸法Ｄとの比Ｈｔ／Ｄが略０．３以下に形成されている。また、遠心ファン５は、シュラウド５５が前述のような形状、すなわち、ファン吸込口５６側端縁から外周側端縁に向かうにつれ、ハブ５４とシュラウド５５との間隔が最初は次第に小さくなり、所定の最小値Ｈｍになってから再び次第に大きくなるような形状に形成されている。本実施の形態に係る遠心ファン５は、このように構成されていることにより、低騒音、高静圧、高効率で運転されている。
【００２８】
ここで、本実施の形態に係る遠心ファン５が低騒音、高静圧、高効率になることを実験データにより示す。実験した遠心ファンの形状は、本実施の形態に係る図４（ａ）のものと、比較例として製作した図４（ｂ）のものである。図４（ａ）は、前述の通りであって本発明に係る遠心ファン５のシュラウド５５を使用したものである。図４（ｂ）の比較例に係る遠心ファンは、シュラウド５５を従来のような形状に形成したものであって、シュラウド５５以外は図４（ａ）のものと同一としている。そして、図５〜図７に、これら両者についての騒音及び性能に関する実験データを示す。図５は風量―静圧特性データであり、図６は風量―比騒音特性データであり、図７は風量―効率特性データである。図５から分かるように、静圧は試験範囲の風量全域において本発明の方が大きくなり、比騒音は風量が多い範囲において本発明の方が小さくなり、さらに、効率は風量が多い範囲において本発明の方が大きくなっている。また、このような傾向は、前述のように、遠心ファン５の軸方向の寸法Ｈｔとロータ５１の外径寸法Ｄとの比Ｈｔ／Ｄが略０．３以下において確認された。
【００２９】
次に、遠心ファン５から径方向に吹き出された空気は、本体筐体１内において左右の空気調整用機器４としての空気清浄フィルタに送られる。そして、空気清浄フィルタに送られた室内空気は、バイオ抗体フィルタで浮遊するウイルスが吸着され、静電集塵部で埃や花粉がプラスに帯電されてマイナスに帯電されたフィルタに吸着される。さらに、脱臭フィルタで臭い成分が分解されるとともに、細菌やカビ菌が吸着されて臭いが除去され、清浄化された空気となる。
【００３０】
空気清浄フィルタで清浄化された空気は、空気調整用機器４の下流側に位置する本体筐体１の左右各側部に形成された室内吹出口１８から室内に吹き出される。この場合において、室内吸込口８ａ，８ｂは、フロントパネル３と仕切板２との間隔周辺のうちの上下２辺に形成されているので、室内吸込口８ａ，８ｂと室内吹出口１８との間のショートサーキットが回避される。
【００３１】
また上記のように構成された空気調和機では、フロントパネル３と仕切板２との間全体が吸入チャンバ７として形成されるとともに、室内吸込口８ａ，８ｂがフロントパネルの背面側に設けられ、さらに、室内吹出口１８が本体筐体１の左右側部に設けられているので、フロントパネル３が完全にフラット化されている。したがって、前面に向いているファン吸込口５６がこのフラットなフロントパネル３で覆われており、前面に漏れるファンの騒音が低減される。また、フロントパネル３がフラットになっているため、フロントパネル３の清掃が楽になり、メンテナンス性が向上する。
【００３２】
以上のように形成された空気清浄機は床置き型として壁面に沿って使用される。一般的な利用形態は、空調する部屋の一壁面の略中央部に沿って配置されているような場合である。この場合には、空気調整用機器４を通過して調整された空気が壁面に左右方向に壁面沿って吹き出され、空気調和機の正面から室内空気を吸い込む室内循環気流が形成される。したがって、このような設置の場合には、室内の全体が空気が効率よく清浄化される。
【００３３】
本実施の形態に係る遠心ファンによれば、次のような効果を奏することができる。
（１）高静圧の薄型遠心ファンを得ることができる。また、比較的大きい風量領域において、低騒音、高効率となる。
【００３４】
（２）また、このような効果は、ハブ５４とシュラウド５５との間隔が最小となる位置を、外周側端縁よりファン吸込口側端縁に近づけることにより、良好な結果が得られる。
（３）また、このような効果は、遠心ファン５の軸方向の寸法Ｈｔとロータ５１の外径寸法Ｄとの比Ｈｔ／Ｄが略０．３以下において確認された。
【００３５】
また、本実施の形態に係る空気調和機は、次のような効果を奏することができる。
（４）上記のような高静圧、低騒音、高効率なファンを使用するので、静粛な薄型の空気調和機を得ることができる。
【００３６】
（５）また、遠心ファン５として前述の形状のシュラウド５５を用いるとともに、空気調整用機器４を遠心ファン５のロータ５１の径方向外側に配置することにより、空気調和機を顕著に薄くすることができる。
【００３７】
（６）本実施の形態に係る空気調和機は、ファン吸込口５６が吸入チャンバ７を向くように配置されているが、ファン吸込口５６がフロントパネル３で覆われているため、前面に漏れるファンの騒音が緩和される。
【００３８】
（７）遠心ファン５の吹出側に空気調整用機器４としての空気清浄フィルタが配置されているため、空気清浄フィルタによる吸音効果や遮音効果が発揮され、空気調和機の低騒音化が図れる。
【００３９】
（８）本体筐体１内の遠心ファン５のロータ５１の径方向外側に空気調整用機器４が配置されるとともに、この空気調整用機器４の下流側であって室内吸込口８ａ，８ｂと略直交する方向に室内吹出口１８が配置されている。したがって、室内吸込口８ａ，８ｂと室内吹出口１８とは異なる方向に形成されることになるので、室内吸込口８ａ，８ｂと室内吹出口１８との間のショートサーキットが防止される。
【００４０】
（９）プレフィルタ９は、高さ方向の略中央において折り曲げ、側面視略Ｖ字状に折り曲げられた形状に形成されているので、有効な気流通過面積を大きくすることができる。したがって、プレフィルタ９の気流通過風速が小さくなり、プレフィルタ９の通風抵抗の低減効果を確保することができる。この結果、機内抵抗を小さくすることができるとともに、機器の省エネ効果を向上させることができる。
【００４１】
(変形例)
（１）遠心ファン５は、ターボファンに拘るものではなく、ターボファンに代えてラジアルファンを用いるようにしてもよい。遠心ファン５をラジアルファンとすると、遠心ファン５からの吹出気流は、周方向の成分が少ない気流となるので、気流が空気調整用機器４に入るときの乱れが小さくなる。この結果、気流の通過抵抗が小さくなるとともに騒音が小さくなる。すなわち、機器の省エネ化及び低騒音化を図ることができる。
【００４２】
（２）上記実施の形態においては、室内吸込口８ａ，８ｂがフロントパネル３と仕切板２との間の上下の２辺に形成されるとともに、室内吹出口１８が本体筐体１の左右側面に設けられていたが、室内吸込口８ａ，８ｂ及び室内吹出口１８の位置を９０度位置変更して形成したものとしてもよい。具体的には、例えば、室内吸込口８ａ，８ｂをフロントパネル３と仕切板２との間の左右の２辺に形成するとともに、室内吹出口１８を本体筐体１の上下面に形成したものとしてもよい。なお、この場合、実施の形態１に係るプレフィルタ９は、正面から見て９０度回転させた状態で取り付けられる。
【００４３】
（３）上記実施の形態においては、空気調整用機器４を空気清浄フィルタとした所謂空気清浄機を例に挙げて説明していたが、他の空気調和機として構成してもよい。例えば、この空気清浄フィルタに代わって冷暖房用の熱交換器を用いた空気調和機の室内ユニットとして構成することができる。
【００４４】
（４）前記実施の形態に係る空気調和機は、床置形として記載しているが、壁掛型の空気調和機とすることもできる。この場合には、本体筐体１の下方の電装品収納部１２の奥行き寸法を薄型部１１と同一にして、あるいは、電装品収納部１２を他の位置に移動して、フロントパネル３の下端部と仕切板２との下端部との間に形成される室内吸込口８ｂを下面に露出するように形成すればよい。また、本空気調和機の高さ方向を水平方向として薄型の天井吊型空気調和機としてもよい。これら壁掛型及び天井吊型空気調和機においても、薄型となることにより部屋に設置された場合の圧迫感を緩和することができる。
【００４５】
（５）上記実施の形態においては、空気調整用機器４である空気清浄フィルタとしては、静電集塵フィルタと脱臭フィルタの双方を備えていたが、何れか一方のフィルタを備えたものでもよい。また、静電集塵フィルタに代えてＨＥＰＡフィルタなどの他の形式の集塵フィルタにしてもよいことは勿論である。
【図面の簡単な説明】
【００４６】
【図１】本発明の実施の形態に係る空気調和機の側断面図である。
【図２】同空気調和機の分解斜視図である。
【図３】同空気調和機の外観斜視図である。
【図４】同空気調和機に用いられる遠心ファンの説明図であり、（ａ）は本発明に係る遠心ファンの断面図であり、（ｂ）は比較例に係る遠心ファンの断面図である。
【図５】同空気調和機に用いられる遠心ファンの風量―静圧特性データであり、比較例との比較で示したものである。
【図６】同空気調和機に用いられる遠心ファンの風量―比騒音特性データであり、比較例との比較で示したものである。
【図７】同空気調和機に用いられる遠心ファンの風量―効率特性データであり、比較例との比較で示したものである。
【図８】従来例に係る遠心ファンを用いた空気調和機の平断面図である。
【符号の説明】
【００４７】
Ｄ…ロータ外形寸法、Ｈｍ…最小値、Ｈｔ…（ファン軸方向の）寸法、Ｈｔ／Ｄ…比、４…空気調整用機器、５…遠心ファン、６…ベルマウス、５１…ロータ、５３…ブレード、５４…ハブ、５４ａ…膨出部、５５…シュラウド、５６…ファン吸込口。
【図１】
2009013926.tif 000003
【図２】
2009013926.tif 000004
【図３】
2009013926.tif 000005
【図４】
2009013926.tif 000006
【図５】
2009013926.tif 000007
【図６】
2009013926.tif 000008
【図７】
2009013926.tif 000009
【図８】
2009013926.tif 000010